(57)【特許請求の範囲】
【請求項１】
検査の対象となる被検体を呼び出した音声情報を入力する音声入力手段と、
前記検査を実行して前記被検体の医用画像を撮像する撮像手段と、
前記入力された音声情報を認識して、音声認識情報を生成する音声認識手段と、
前記音声認識情報に基づいて、前記検査の実施内容を示す情報を含むオーダ情報を取得する取得手段と、
前記検査により得られた医用画像を表示する表示手段と、
前記入力された音声情報と、前記検査により得られた医用画像と、を関連付けて記録する記録手段と、
前記音声情報を再生した音声を出力する再生手段と、
所定期間内に実行された前記検査の前記オーダ情報を時系列に沿って並べた検査履歴を生成して表示する検査履歴表示手段と、を備え、
前記記録手段は、前記音声情報と前記オーダ情報とを更に関連付けて記録し、
前記再生手段は、前記検査履歴に掲載された前記オーダ情報に関連付けられた前記音声情報を再生した音声を出力する、
ことを特徴とする医用画像診断装置。
【請求項２】
前記再生手段は、前記検査履歴に掲載された前記オーダ情報に関連付けられた前記音声情報を、前記検査履歴上において前記オーダ情報が並べられた順に沿って出力する、
ことを特徴とする請求項１に記載の医用画像診断装置。
【請求項３】
前記オーダ情報は、前記被検体を特定する情報を更に含み、
前記医用画像診断装置は、前記オーダ情報に含まれる前記被検体を特定する情報を認識し、その情報を発声した機械音声を生成して出力する機械音声生成手段を更に備え、
前記機械音声生成手段及び前記再生手段は、同一の前記オーダ情報に基づいて、生成された機械音声及び前記再生された音声を連続して出力する、
ことを特徴とする請求項２に記載の医用画像診断装置。
【請求項４】
前記表示手段は、前記取得した前記オーダ情報と、前記音声認識情報とを同時に表示する、
ことを特徴とする請求項１乃至３のいずれか一つに記載の医用画像診断装置。
【請求項５】
前記再生手段は、前記表示手段に前記医用画像が表示されると、その医用画像に関連付けられた前記音声情報を再生した音声を出力する、
ことを特徴とする請求項１に記載の医用画像診断装置。
【発明の詳細な説明】
【技術分野】
【０００１】
本発明は、医用画像診断装置及び医用画像システムに係り、特に、操作性の向上に資する医用画像診断装置及び医用画像システムに関する。
【背景技術】
【０００２】
医用画像診断装置で行う検査は、主に、被検体の呼び出し、検査に関する情報の取得、撮像による画像の取得、取得した画像を表示して診断、という手順で実施される。
【０００３】
特許文献１には、医用画像を格納した装置に対し音声入力操作を行い、音声認識をして医用画像を検索して表示する画像表示装置が開示されている。
【先行技術文献】
【特許文献】
【０００４】
【特許文献１】特開２００３-３３９６９５号公報
【発明の概要】
【発明が解決しようとする課題】
【０００５】
検査を開始する前には必ず被検体の呼び出しと検査に関する情報の取得がセットで実施されるが、それぞれの作業は独立しており、検査効率が悪かった。また、上記特許文献１によれば、画像検索に際して被検体の氏名をテキスト入力する作業が不要となるものの、依然として、被検体の呼び出しと検査に関する情報の取得とは、それぞれの作業が独立しているため、被検体の呼び出しと、検査に関する情報の取得と別途行う必要があった。更に、検査後に被検体の取り違えを確認しようとしても、被検体の呼び出しに瑕疵がなかったか否かを検証するための資料に乏しいという問題があった。
【０００６】
本発明は、上記問題に鑑みてなされたものであり、検査の作業及び検査後の被検体の取り違えの有無の確認作業の効率化を図ることができる医用画像診断装置及び医用画像システムを提供することを目的とする。
【課題を解決するための手段】
【０００７】
上記目的を達成するために、本発明は、被検体呼び出しという作業と他の作業、例えば、検査に関する情報の取得のための操作、及び被検体呼び出しのエビデンスの保存操作、とを連動させ、検査を開始する際の操作数を減らし効率的な検査を可能にする医用画像診断装置及び医用画像システムを提供する。
【０００８】
より具体的には、本発明に係る医用画像診断装置は、検査の対象となる被検体を呼び出した音声情報を入力する音声入力手段と、前記検査を実行して前記被検体の医用画像を撮像する撮像手段と、前記入力された音声情報を認識して、音声認識情報を生成する音声認識手段と、前記音声認識情報に基づいて、前記検査に関する情報を取得する取得手段と、前記検査により得られた医用画像を表示する表示手段と、
を備えることを特徴とする。
【０００９】
また、本発明にかかる医用画像診断装置は、検査の対象となる被検体を呼び出した音声情報を入力する音声入力手段と、前記検査を実行して前記被検体の医用画像を撮像する撮像手段と、前記入力された音声情報と、前記検査により得られた医用画像とを関連付けて記録する記録手段と、前記音声情報を再生した音声を出力する再生手段と、前記検査により得られた医用画像を表示する表示手段と、を備えることを特徴とする。
【００１０】
また、本発明に係る医用画像システムは、医用画像診断装置と、前記医用画像診断装置による検査の内容を規定したオーダ情報を記録するオーダ情報記録装置と、がネットワークを介して互いに接続された医用画像システムにおいて、前記医用画像診断装置は、検査の対象となる被検体を呼び出した音声情報を入力する音声入力手段と、前記検査を実行して前記被検体の医用画像を撮像する撮像手段と、前記入力された音声情報を認識して、音声認識情報を生成する音声認識手段と、前記オーダ情報記録装置に対し、前記音声認識情報を使用して前記被検体が受ける検査のオーダ情報の取得要求を行う手段と、前記要求に応じて前記オーダ情報記録装置が送信した、前記被検体が受ける検査のオーダ情報を取得する手段と、を備え、前記オーダ情報記録装置は、前記被検体が受ける検査のオーダ情報を格納するオーダ情報格納手段と、前記医用画像診断装置からの前記要求を受信する手段と、前記要求に応じて、前記オーダ情報格納手段から前記被検体が受ける検査のオーダ情報を検索し、前記医用画像診断装置に前記被検体が受ける検査のオーダ情報を送信する手段と、を備えることを特徴とする。
【発明の効果】
【００１１】
本発明によれば、被検体呼び出しで、検査に必要な情報を収集するとともに、被検体呼び出しのエビデンスという重要な情報を自動的に装置上に保存することにより、医療行為の信頼性を高めることができる。
【図面の簡単な説明】
【００１２】
【図１】本実施形態に係る医用画像システムの全体構成を示す図
【図２】画像処理プログラムを示すブロック図
【図３】第一実施形態の処理の流れを示すフローチャート
【図４】音声データの保存処理を示す説明図
【図５】オーダ情報の保存処理を示す説明図
【図６】本実施形態の検査中に表示される画面表示例を示す図
【図７】画像データの保存処理を示す説明図
【図８】第二実施形態の処理の流れを示すフローチャート
【図９】検査履歴の生成処理を示す説明図
【図１０】検査履歴の画面表示例を示す図
【図１１】第三実施形態の動作を示すフローチャート
【図１２】第三実施形態における画像の画面表示例を示す図
【発明を実施するための形態】
【００１３】
以下、本発明の実施形態について図面を用いて説明する。同一機能を有する構成及び同一の処理内容の手順には同一符号を付し、その説明の繰り返しを省略する。以下の説明では、透視モードによる被検体の動画像からなる透視像、及び撮影モードによる被検体の静止画像からなるＸ線画像を撮像可能なＸ線画像診断装置を用いて、Ｘ線画像を撮像、記録、表示する検査を例に説明する。まず、図１に基づいて本実施形態に係る医用画像システムについて説明する。図１は本実施形態に係る医用画像システムの全体構成を示す図である。本実施形態にかかる医用画像システムは、医用画像診断装置１００と、ＲＩＳ１０３（ＲＩＳ：Radiology  Information  Systemの略記）と、ＰＡＣＳ１０４（ＰＡＣＳ：Picture  Archiving  and  Communication  Systemの略記）と、端末装置１０５とが、ＬＡＮ１０６を介して接続されることにより構成される。医用画像診断装置１００は、画像取得ハードウェア１０１と医用画像処理装置１０２とを備えている。画像取得ハードウェア１０１は、本実施形態ではＸ線画像診断装置を例に挙げるが、ＭＲＩ装置、ＣＴ装置、ＰＥＴ装置、内視鏡画像撮像装置など、静止画像および動画像を問わず、医用画像が取得可能なハードウェアであれば、その種類は限定されない。
【００１４】
医用画像処理装置１０２は、画像取得ハードウェア１０１との間で制御信号や画像データの通信を行うハードウェアＩ／Ｆ１１４と、操作者の入力操作を受け付けるためのマウス１１１と、操作者のキー入力操作を受け付けるキーボード１１２と、操作者の音声入力を受け付けるマイクロフォン１１３と、画像データやGUIを表示するディスプレイ１１５と、音声を出力するスピーカー１２１と、ＬＡＮとの通信を行うＬＡＮ Ｉ／Ｆ１１６と、演算処理を行うＣＰＵ１１７と、画像データや論理情報を保存する磁気ディスク１１８と、処理内容を一時的に記憶しておくメモリ１１９と、マウス１１１〜メモリ１１９及びスピーカー１２１の機器の間でデータをやりとりするための共通バス１２０を備えている。
【００１５】
医用画像処理装置１０２は、画像取得ハードウェア１０１により得られた医用画像を画像データとして取り込み、必要に応じて画像を見やすくするための処理を行う。また、見やすくするばかりでなく、検査の情報を取得したり、必要な読影所見を入力したり、必要な情報のみを意図的に強調して有用な医用画像情報を得たりするために用いられる。操作者はディスプレイ１１５に表示される操作画面を確認しながら、マウス１１１やキーボード１１２およびマイクロフォン１１３の入力装置を操作することにより、医用画像処理装置１０２における画像処理機能を実行することができる。
【００１６】
医用画像処理装置１０２は、ＬＡＮ  Ｉ／Ｆ１１６およびＬＡＮ１０６を介して外部装置と互いに接続され、これらの各装置との間で通信を行い、検査に関する情報を取得する。本実施形態では、外部装置として上述の如く、ＲＩＳ１０３と、ＰＡＣＳ１０４と、端末装置１０５とを備える。
【００１７】
ＲＩＳ１０３は被検体を特定する情報及び検査の実施内容を示す情報（以下「オーダ情報」という）を持ち、ＬＡＮ１０６を介して医用画像処理装置１０２から要求を受けると、ＬＡＮ１０６を介してその要求に対するオーダ情報を医用画像処理装置１０２に返す。
【００１８】
ＰＡＣＳ１０４は画像データとその画像データに関連付けて記録された付帯情報とを持ち、ＬＡＮ１０６を介して医用画像処理装置１０２又は端末装置１０５から要求を受けると、ＬＡＮ１０６を介してその要求に対する画像データ及び付帯情報を医用画像処理装置１０２又は端末装置１０５に返す。この付帯情報の中には検査時の被検体呼び出しのために発生された音声情報が含まれる。詳細は後述する。
【００１９】
端末装置１０５は、ＰＡＣＳ１０４から受信した画像データを表示し、更に、画像データに関連付けて記録された付帯情報に含まれる音声情報に基づいて再生された音声を出力する。本実施形態の端末装置１０５は、医用画像診断装置１００と別体に構成されているが、端末装置１０５は医用画像処理装置１０２に組み込んで、端末装置１０５と同様の動作を医用画像処理装置１０２において実行できるように構成してもよい。
【００２０】
次に図２に基づいて医用画像処理装置１０２に内蔵される画像処理プログラムについて説明する。図２は、画像処理プログラムを示すブロック図である。画像処理プログラムは、マイクロフォン１１３から入力された音声を、音声情報として記録する音声記録部１１と、その音声情報を認識してテキスト情報などの音声認識情報に変換する音声認識部１２と、ＲＩＳ１０３に対して、音声認識情報を用いてオーダ情報の要求を行うオーダ情報要求部１３と、ＲＩＳ１０３からオーダ情報を取得するオーダ情報取得部１４と、ＰＡＣＳ１０４に対して音声認識情報を用いて、今回の検査に関連する画像情報（例えば被検体の過去画像）の要求を行う画像情報要求部１５と、ＰＡＣＳ１０４から画像情報を取得する画像情報取得部１６と、ディスプレイ１１５に対して各種表示画像を表示させる表示制御部１７と、画像取得ハードウェア１０１が今回の検査で取得した画像や、オーダ情報、また今回の検査に関連する画像情報を磁気ディスク１１８に記録する記録部１８と、画像取得ハードウェア１０１が行った検査の履歴情報を生成する検査履歴生成部１９と、音声記録部１１が記録した音声を再生する音声再生部２０と、テキスト情報などの被検体を特定する情報を認識して機械音声を生成し、スピーカー１２１から音声出力させる機械音声生成部２１と、磁気ディスク１１８に記録された検査で得られた画像を検索する画像検索部２２と、を備える。医用画像処理装置１０２の画像処理機能は、ＣＰＵ１１７が共通バス１２０を介して磁気ディスク１１８およびメモリ１１９から取得した上記プログラムを実行することにより実現される。
【００２１】
＜＜第一実施形態＞＞
次に第一実施形態について説明する。通常、医用画像を取得する検査では、検査を実施する技師が、検査に先立ち、被検体の呼び出し作業と、検査に関する情報（例えば、被検体に関する情報、日時に関する情報、実施内容に関する情報、被検体の過去の画像）の取得作業を行う。そこで、第一実施形態では、被検体の呼び出し作業と検査に関する情報の取得作業とを連動させ、医用画像診断装置１００の操作者が、被検体を呼び出すために発声した音声を用いて、ＲＩＳ１０３及びＰＡＣＳ１０４からオーダ情報及び検査に関連する画像情報を取得し、更に呼び出しのために発声した音声情報を、その検査で得た画像情報と関連付けて記録する。以下、図３〜図７に基づいて第一実施形態について説明する。図３は、第一実施形態の処理の流れを示すフローチャートである。図４は音声データの保存処理を示す説明図である。図５は、オーダ情報の保存処理を示す説明図である。図６は、本実施形態の検査中に表示される画面表示例を示す図である。図７は、画像データの保存処理を示す説明図である。
【００２２】
以下、図３の各ステップに沿って、第一実施形態の処理の流れを説明する。
【００２３】
（ステップＳ１）
ステップＳ１では、操作者が被検体の呼び出しを行う。医用画像処理装置１０２のマイクロフォン１１３には、操作者が被検体呼び出しのために発した音声が入力され、医用画像処理装置１０２はマイクロフォン１１３を介して呼び出しのために発した音声を受信する（Ｓ１）。
【００２４】
（ステップＳ２）
音声記録部１１は、図４に示すように、受信した音声４０を音声データ４１に変換し、その音声データ４１に装置上で一意である番号(例：音声ＩＤ＝００００１)４２を割り振って、磁気ディスク１１８に保存する（Ｓ２）。これにより、後から音声データを特定し参照できるようにする。
【００２５】
（ステップＳ３）
音声認識部１２は、ステップＳ１で受信した音声から、被検体を特定できる情報を抽出する（Ｓ３）。被検体を特定できる情報としては、被検体名のほか、被検体ＩＤや受診番号などがある。音声認識部１２による音声認識の例として、例えば被検体を特定できる情報を抽出するための特定のキーワードを決め、入力された音声からその特定のキーワードを抽出して被検体を特定できる情報として保存してもよい。キーワードの一例として、例えば、「番でお待ちの方」を設定しておき、「○○○○番でお待ちの方」という音声の入力があった場合に「番でお待ちの方」以前を被検体ＩＤとみなして抽出してもよい。また、キーワードとして「でお待ちの」と「さん」とを設定しておき「○○科でお待ちの○○○○さん」という音声入力があった場合に、「でお待ちの」の直後を抽出開始とし、「さん」の直前を抽出終了と設定しておく。そして、「でお待ちの」と「さん」との間の言葉を被検体名とみなして抽出してもよい。他の例として、被検体情報を発声するときだけ、手動で医用画像処理装置１０２のマイクロフォン１１３のスイッチをＯＮにし、ＯＮの間に発声された音声を被検体を特定できる情報として保存してもよい。例えば、「○○科でお待ちの○○○○さん」と呼び出す場合に、「でお待ちの」の直後から「さん」の直前の「○○○○」を発声するときのみマイクロフォン１１３のスイッチをＯＮにする。この場合、マイクロフォン１１３から入力された情報が被検体を特定できる情報として抽出される。以上、音声認識の例をあげたが、音声認識部１２による音声認識の方法は、上記に限定されるものでなく、操作者が発した音声を用いて被検体を特定できる情報を抽出する技術であればいかなる方法でも適用可能である。音声認識部１２は、抽出された音声情報からなる被検体を特定できる情報を、テキスト情報のように、検索コードとして適用可能な形式の情報に変換する。この変換後の被検体を特定できる情報は、以下の検査情報の取得及び画像情報の検索に用いられる。なお、ＲＩＳ１０３、ＰＡＣＳ１０４に変換前の音声情報からなる被検体を特定できる情報を用いてオーダ情報や画像検索が可能な機能がある場合には、音声情報を用いてオーダ情報や画像検索を行ってもよい。
【００２６】
（ステップＳ４）
オーダ情報要求部１３は、ＲＩＳ１０３に対し、ＬＡＮＩ／Ｆ１１６及びＬＡＮ１０６を介してステップＳ３で抽出した被検体を特定できる情報を使用して、オーダ情報の要求を送信する（Ｓ４）。ＲＩＳ１０３との検査に関する情報の通信には医療用のデジタル画像と通信に関する標準規格であるDICOM  MWM(Modality  Worklist)を用いる。ＲＩＳ１０３は、オーダ情報の要求を受信する手段と、その要求に応じて被検体を特定できる情報を用いてオーダ情報を検索する手段と、検索結果をオーダ情報の要求を出力した装置に対して送信する手段と、を備える。そして、オーダ情報要求部１３が、被検体を特定できる情報を含むオーダ情報の要求をＲＩＳ１０３に送信すると、ＲＩＳ１０３は、受信した要求に含まれる被検体を特定できる情報を用いて、その被検体の検査内容を定めたオーダ情報５０を検索し、その結果を、医用画像処理装置１０２に送信する。
【００２７】
（ステップＳ５）
オーダ情報取得部１４は、図５に示すように、ＲＩＳ１０３がＬＡＮ１０６を介して返してきたオーダ情報５０を取得する。オーダ情報５０には被検体を特定する情報として、「被検体ＩＤ」、「被検体名」、「生年月日」、「性別」、「受診番号」が含まれる。また検査の実施内容を示す情報として「検査日時」、「検査部位」、」「検査手技」なども含まれる。そしてオーダ情報取得部１４は、これらのオーダ情報５０にステップＳ２で保存した音声データへの参照(例：音声ＩＤ＝００００１)４２を付帯して、磁気ディスク１１８に保存する（Ｓ５）。
【００２８】
（ステップＳ６）
画像情報要求部１５は、ＰＡＣＳ１０４に対し、ＬＡＮＩ／Ｆ１１６及びＬＡＮ１０６を介してステップＳ３で抽出した被検体を特定できる情報を使用して、ＰＡＣＳ１０４に記録されている、今回の検査に関連する画像６０、例えば、被検体の過去画像の要求を送信する（Ｓ６）。ＰＡＣＳ１０４との画像情報の通信には医療用のデジタル画像と通信に関する標準規格であるDICOM  Q/R(Query/Retrieve)を用いる。ＰＡＣＳ１０４は、画像情報の要求を受信する手段と、その要求に応じて被検体を特定できる情報を用いて、被検体の今回の検査に関する画像（例えば過去画像）を検索する手段と、検索結果を画像検索要求を出力した装置に対して送信する手段と、を備える。そして、画像情報要求部１５が、被検体を特定できる情報を含む画像検索要求をＰＡＣＳ１０４に送信すると、ＰＡＣＳ１０４は、受信した要求に含まれる被検体を特定できる情報を用いて、その被検体の検査内容を定めた画像６０を検索し、その結果を、医用画像処理装置１０２に送信する（Ｓ５）。
【００２９】
（ステップＳ７）
画像情報取得部１６は、ＰＡＣＳ１０４がＬＡＮ１０６を介して返してきた今回の検査に関連する画像６０を磁気ディスク１１８に保存する（Ｓ７）。なお、今回の検査に関連する画像を参照する必要がない場合には、ステップＳ６とＳ７とを省略してもよい。また磁気ディスク１１８に過去画像が格納されている場合には、画像検索部２２が被検体を特定できる情報を用いて磁気ディスク１１８に格納された当該被検体の過去画像を検索してもよい。
【００３０】
（ステップＳ８）
操作者は、取得したオーダ情報５０及び検査に関連する画像６０を参照して画像取得ハードウェア１０１を操作し、被検体を撮像し、画像データを取得する（Ｓ８）。検査中、表示制御部１７は、例えば図６に示す画面表示例のように、ディスプレイ１１５の表示画面にＲＩＳ１０３から受信したオーダ情報５０と、ＰＡＣＳ１０４から受信した被検体の検査に関連する画像６０と、画像取得ハードウェア１０１から取得した画像データ７０と、を表示する。画面には、取得したオーダ情報の他に、音声認識部１２が認識した文字情報を同時に表示して、音声認識情報を視認できるように構成してもよい。
【００３１】
（ステップＳ９）
記録部１８は、図７に示す通り、検査中に画像取得ハードウェア１０１から取得した画像７０に、ステップＳ２で保存した音声データへの参照(例：音声ＩＤ)を付帯して磁気ディスク１１８に保存する（Ｓ９）。医用画像処理装置１０２は、今回の検査で取得した画像７０と、「画像ＩＤ（ＩＤ＝０００３）」、「被検体ＩＤ」、「被検体名」、「撮影日」と、音声データ４１を参照するための「音声ＩＤ＝００００１」と含む付帯情報と、を関連付けて保存する。画像７０及び付帯情報をＰＡＣＳ１０４に送信してもよい。なお、ＰＡＣＳ１０４に送信する際には、付帯情報とし「音声ＩＤ＝００００１」だけでなく、音声データ４１も同時に送信して、画像７０と音声データ４１とを関連付けて記録するように構成してもよい。
【００３２】
本実施形態によれば、被検体の呼び出し作業とその他の作業、例えば、オーダ情報の取得、検査に関連する画像の取得、被検体呼び出し時の音声をエビデンスとして保存する作業と、を連動させて行うことができ、検査を開始する際に必要な作業を、被検体呼び出しという単一の操作のみで行うことが可能になる。そのため、検査に要する操作を簡素化することができる。
【００３３】
＜＜第二実施形態＞＞
次に、第二実施形態について説明する。第二実施形態が、第一実施形態と異なる点は、画像取得の終了後に、検査履歴から音声データの再生を行う点である。以下、図８〜図１０に基づいて第二実施形態について説明する。図８は第二実施形態の処理の流れを示すフローチャートである。図９は、検査履歴の生成処理を示す説明図である。図１０は、検査履歴の画面表示例を示す図である。以下、図８の各ステップに沿って説明するが、ステップＳ１〜Ｓ９は第一実施形態と同様の処理なので説明を省略する。
【００３４】
（ステップＳ１０）
操作者による検査履歴の表示操作を行う（Ｓ１０）。検査履歴とは、磁気ディスク１１８上に保存された複数の検査に関する情報を時系列に並べ、リスト化したものである。操作者は、マウス１１１やキーボード１１２から検査履歴の生成条件、例えば参照を所望する期間（YY/MM/DD：TIME〜YY/MM/DD：TIME）や検査履歴に表示させる項目を入力し、検査履歴の生成指示を入力する。図９の例では、２月７日の午後から２月９日の診療時間終了時までの期間が設定される。検査履歴生成部１９は、入力された生成指示と生成条件に従って検査履歴を生成する。検査履歴生成部１９は、磁気ディスク１１８に格納された各検査に対応するオーダ情報から、「検査ＩＤ」、「検査日時」、「被検体ＩＤ」、「被検体名」など、検査履歴に表示させる項目の情報を抽出し、それらをリスト形式に掲載した検査履歴８０を生成する。
【００３５】
（ステップＳ１１）
表示制御部１７は、ディスプレイ１１５の表示画面に検査履歴８０を表示する（Ｓ１１）。図１０に示すように、検査履歴８０の表示画面には、検査履歴８０と、音声情報の再生指示を行うための「音声再生」アイコン９０とが表示される。
【００３６】
（ステップＳ１２）
操作者は、検査履歴８０の中から１件を選択し、検証を所望する検査をマウス１１１やキーボード１１２を用いて指定する（Ｓ１２）。図１０では、「検査ＩＤ＝０００２」が指定されている。
【００３７】
（ステップＳ１３）
操作者が、「音声再生」アイコン９０をマウス１１１でクリックして、音声データの再生指示の操作を行う（Ｓ１３）。
【００３８】
（ステップＳ１４）
音声再生部２０は、選択されたオーダ情報が参照している音声データを磁気ディスク１１８から読み込む（Ｓ１４）。参照の方法としては、例えば、「検査ＩＤ」が付帯されたオーダ情報５０に含まれる「音声ＩＤ」を使用し、この「音声ＩＤ」が付帯された音声データを読み込む。図１０では、「検査ＩＤ＝０００２」が付されたオーダ情報に含まれる「音声ＩＤ＝００００１」を読み込み（図９参照）、この「音声ＩＤ＝００００１」が付された音声データ４１を読み込む（図４参照）。
【００３９】
（ステップＳ１５）
音声再生部２０は、読み込んだ音声データを再生し、スピーカー１２１から出力する（Ｓ１５）。
【００４０】
本実施形態によれば、操作者は、被検体呼び出しのエビデンスとして保存された被検体呼び出し時の音声データを、検査の履歴と関連づけて再生および確認することが可能となる。これにより、被検体の取り違えがなかったことを検証することができる。
【００４１】
本実施形態では、ステップＳ１３において操作者が音声データの再生操作を行うことにより、選択されたオーダ情報に関連付けられた音声データが再生されたが、音声再生部２０は、検査履歴８０に掲載されたオーダ情報に関連付けられた音声データを、検査履歴８０に掲載されたオーダ情報の順に沿って自動再生するように構成してもよい。これにより、操作者は、検査履歴８０を視認しながら再生された音声を聞くことにより、被検体の呼び出し音声とオーダ情報とが一致しているかを確認することができる。
【００４２】
また、医用画像処理装置１０２に機械音声生成部２１を更に備え、機械音声生成部２１が、検査履歴８０に掲載された被検体を特定する情報、例えば被検体氏名を文字認識し、認識した情報を機械音声として生成し、スピーカー１２１から出力し、これに続いて、音声再生部２０の自動再生による音声データの再生を行ってもよい。再生する順序は上記の逆、すなわち自動再生に続いて機械音声でもよい。これを、オーダ情報毎に交互に行うことにより、オーダ情報に含まれる被検体を特定する情報を読み上げた機械音声と被検体呼び出し時の音声との一致を操作者が聴覚により確認することができる。
【００４３】
＜＜第三実施形態＞＞
次に図１１、１２に基づいて第三実施形態について説明する。第三実施形態が、第一実施形態及び第二実施形態と異なる点は、画像取得の終了後に、画像を表示した状態から音声データの再生を行う点である。本実施形態は、医用画像処理装置１０２で行ってもよいし、端末装置１０５において医師がＰＡＣＳ１０４から画像を取得して表示する場合に適用してもよい。以下の説明では、医用画像処理装置１０２において第三実施形態を適用する場合を例に説明する。図１１は、第三実施形態の動作を示すフローチャートである。図１２は、第三実施形態における画像の画面表示例を示す図である。以下、図１１の各ステップに沿って説明するが、ステップＳ１〜Ｓ９は第一実施形態と同様の処理なので説明を省略する。
【００４４】
（ステップＳ２０）
操作者による画像の表示操作を行う（Ｓ２０）。操作者は、表示を所望する画像を指定するための条件をマウス１１１やキーボード１１２から入力する。画像検索部２２は、磁気ディスク１１５の中から指定された条件の画像を検索する。
【００４５】
（ステップＳ２１）
画像検索部２２が検索した画像を表示制御部１７がディスプレイ１１５に表示する（Ｓ２１）。図１２に示すように、画像７０の表示画面には、画像７０と、オーダ情報５０と、音声情報の再生指示を行うための「音声再生」アイコン９１とが表示される。
【００４６】
（ステップＳ２２）
操作者が、「音声再生」アイコン９１をマウス１１１でクリックして、音声データの再生操作を行う（Ｓ２２）。
【００４７】
（ステップＳ２３）
音声再生部２０は、表示された画像が参照している音声データを磁気ディスク１１８上から読み込む（Ｓ２３）。参照の方法は、例えば、画像データに付帯されたオーダ情報５０に含まれる「音声ＩＤ」を使用し、この「音声ＩＤ」が付帯された音声データを読み込む。なお、端末装置１０５においてこの操作を行う場合、ＰＡＣＳ１０４に音声データも記録しておき、リクエストがあった場合に音声データを端末装置１０５に送信することにより、画像とともに常に音声データを送る場合に比べて通信データ量を少なくしてもよいし、端末装置１０５に画像と音声データとをセットで送信しておき、端末装置１０５における音声再生処理の高速化を図ってもよい。
【００４８】
（ステップＳ２４）
音声再生部２０は、読み込んだ音声データを再生しスピーカー１２１から出力する（Ｓ２４）。
【００４９】
本実施形態によれば、操作者は、被検体呼び出しのエビデンスとして保存された被検体呼び出し時の音声データを、検査により得られた画像を表示した際に再生および確認することが可能となる。これにより、被検体の取り違えがなかったことを検証することができる。
【００５０】
本実施形態では、ステップＳ２２において操作者が音声データの再生操作を行うことにより、音声データが再生されたが、音声再生部２０は、画像７０を表示すると、その画像７０が参照している音声データを自動再生するように構成してもよい。これにより、操作者は、画像７０とそのオーダ情報５０とを表示し、オーダ情報５０に含まれる被検体を特定する情報を視認しながら再生された音声を聞くことにより、被検体呼び出しのエビデンスとして保存された被検体呼び出し時の音声データを、画像と関連づけて再生および確認することが可能となる。
【００５１】
また、機械音声生成部２１が、画像７０に付帯するオーダ情報５０に含まれる被検体を特定する情報、例えば被検体氏名を文字認識し、認識した情報を機械音声として生成し、スピーカー１２１から出力し、これに続いて、音声再生部２０の自動再生による音声データの再生を行ってもよい。これにより、画像７０に注目しながら、オーダ情報５０と被検体の呼び出しの音声とを聴覚により確認することができる。
【符号の説明】
【００５２】
１００：医用画像診断装置、１０１：画像取得ハードウェア、１０２：医用画像処理装置、１０３：ＲＩＳ、１０４：ＰＡＣＳ、１０５：端末装置、１０６：ＬＡＮ
【図１】
0005462614.tif 000002
【図２】
0005462614.tif 000003
【図３】
0005462614.tif 000004
【図６】
0005462614.tif 000005
【図８】
0005462614.tif 000006
【図１１】
0005462614.tif 000007
【図１２】
0005462614.tif 000008
【図４】
0005462614.tif 000009
【図５】
0005462614.tif 000010
【図７】
0005462614.tif 000011
【図９】
0005462614.tif 000012
【図１０】
0005462614.tif 000013